(57)【要約】【課題】従来の一般的なオフィス用デスクと変わらないスペースで、重量も軽く、デスク上の空間を圧迫することも無しに４０インチクラスの大画面表示を実現する映像表示機能を備えたデスクを提供する。【解決手段】極めて投射距離が短く投射角度が非常に高い投射特性を有するフロント投射型プロジェクタ１をデスク２の内部に配置し、デスクの天板にはプロジェクタの光路を遮ることがない透明なガラス板２ｂを配しまたはプロジェクタの光路７を遮ることのない構造で、デスク前方に位置するスクリーン面３上にこのガラス板２ｂを通してプロジェクタ１からの投射画像が切れることなく表示される構造と構成にした。また、使用しない時には、システムの全ての装置をデスク２の内部に収納し、ＣＡＤデスクを一般テーブルとして使用できる構造にし、キャスター８により移動も容易にできる構造にした。【選択図】　　　図１
2004113655.tif 000002
【特許請求の範囲】
【請求項１】
フロント投射型プロジェクタを内部に有し、天面に位置する透光性板越しに前方のスクリーン面へ画像を投射表示する構成と構造にしたことを特徴とする大画面表示機能付きデスク。
【請求項２】
フロント投射型プロジェクタをデスクの下側に配置し、プロジェクタの光路のデスク天板の奥行寸法の一部を短くしたことを特徴とする大画面表示機能付きデスク。
【請求項３】
画面サイズを可変したときに画面位置が上下方向へ移動可能な構成にしたことを特徴とする請求項１または２記載の大画面表示機能付きデスク。
【請求項４】
フロント投射型プロジェクタをデスクの下側に配置し、プロジェクタの光路を確保するためにデスク天板の先端をテーパ状にしたことを特徴とする請求項２または３記載の大画面表示機能付きデスク。
【請求項５】
部屋の壁面を画像表示面として使用する構成にしたことを特徴とする請求項１乃至４記載の大画面表示機能付きデスク。
【請求項６】
使用しない時には、全ての装置をデスク内部に収納できる構造と構成にしたことを特徴とする請求項１乃至５記載の大画面表示機能付きデスク。
【請求項７】
フロント投射型プロジェクタをデスクの下側に配置し、プロジェクタの設置部分が９０度回転することにより、収納時にプロジェクタ全体がデスクの内側に納まる構造にしたことを特徴とする請求項１乃至６記載の大画面表示機能付きデスク。
【請求項８】
プロジェクタを内蔵した表示機能を有するデスクにおいて、画面サイズを可変できる構成にしたことを特徴とする請求項１乃至７記載の大画面表示機能付きデスク。
【請求項９】
非球面ミラーを搭載したフロント投射型のプロジェクタを内部に有する構成と構造にしたことを特徴とする請求項１乃至８記載の映像表示機能を有する大画面表示機能付きデスク。
【発明の詳細な説明】
【０００１】
【発明の属する技術分野】
本発明はディスプレイのデスク構造に関し、特に、限られたスペースでディスプレイ画面の大型化を実現するための構成・構造に関する。
【０００２】
【従来の技術】
従来、コンピュータを使用してモニター装置のディスプレイ画面上で一般業務や設計を行なう環境においては、モニター装置としてＣＲＴモニターが使用され、このモニターは専用のデスク上に置かれて使用されるのが一般的である。そして、設計環境においては複数台の設計装置を有する場合には、それらを１箇所または、一つの部屋に集めて設計作業環境が作られるのが一般的である。
【０００３】
設計作業に使用する場合は、コンピュータにインストールされた設計用ソフトウェアを用いて、モニター装置の画面上に表示される画像を見ながら、コンピュータの入力装置であるキーボードとマウスを操作して画面上で設計を進める。コンピュータを用いる設計は、一般にＣＡＤ（Ｃｏｍｐｕｔｅｒ−Ａｉｄｅｄ　Ｄｅｓｉｇｎ）と呼ばれＣＡＤのために設けられた部屋はＣＡＤ室と一般に呼ばれる。ＣＲＴモニターのサイズとしては、価格・解像度・本体サイズ等の点から２１インチ程度のものが一般的に使用されている。
【０００４】
図１３に、従来のＣＲＴモニターを使用した形態を示す。図中に実線で示されている部分が従来のＣＲＴモニターによる形態であるが、本図においてはデスクとＣＲＴモニターのサイズを示すことを目的としているので、ここではＣＡＤに必要なデスクトップパソコンや入力装置等の表示は省いている。
【０００５】
図１３（Ａ）は天面から、（Ｂ）は横から見たもの、（Ｃ）は正面から見たものである。本図におけるＣＲＴモニターのサイズは一般的に使用されている２１インチ相当のものを示し、図中２１はモニターの表示サイズ、２２はモニター２２の本体サイズを示す。図１３から従来のＣＲＴモニターで使用されているスペース、及び、ＣＲＴモニターにより占有されているスペースが理解できる。
【０００６】
このような従来のＣＡＤシステムにおいて、近年の設計情報量の増化、高密度化等から、より大きなディスプレイ画面が求められている。また、小さい画面上で細かい画像情報や文字情報を長時間見ることは健康管理の面からも好ましいことではなく、適度なサイズのものを適度な視距離で見ることが必要とされる。この時に小さなディスプレイ画面上で適度な画像・文字情報サイズを得ようとすると拡大表示が必要となり、結果的に画面全体に表示される情報量が減少する。そこで画面全体の情報量を落とさずに適度な文字サイズが得られる大画面のディスプレイが要求される。
【０００７】
また、リア投射型のプロジェクタは近年小型化・薄型化が進み４０〜５０インチサイズのものでは、奥行、重量共にＣＲＴモニターよりも小さくすることが可能になっている。しかしながら、ＣＡＤのモニター装置としてデスク上に置ける構造にはなっていない、このような構造の先行技術として特開平０８−０６２７２２がある。
【０００８】
一方では、フロアスペースの有効活用ということが要望されており、ディスプレイ画面サイズを大きくするために大きなフロアスペースを占有することは好ましくない。従って、大画面表示が得られてスペースも取らないモニター装置が望まれる。
【０００９】
【特許文献１】
特開平０８−０６２７２２号公報（第２−３頁、図２）
【００１０】
【発明が解決しようとする課題】
上述した従来のディスプレイシステムにおいては現在、大画面が可能なモニター装置としては、大型ＣＲＴモニター、プラズマディスプレイ、リア投射型プロジェクタ等が存在する。大型ＣＲＴモニターでは、２５インチ、２９インチといったサイズのものがあるが、これらは画面サイズに比例して本体サイズ・本体重量が増加し、一般に使用されている２１インチＣＲＴモニターと置換えて使用する訳にはいかず、使用するためにはより大きなデスクサイズを必要とするばかりではなく、その重量を支えるためにより強固な構造のデスクが必要とされるという不具合がある。また、画像位置はＣＲＴのスクリーン面であるので適度な視距離をとるためには、ＣＲＴの前にさらにスペースが必要となってしまい、一般のＣＡＤ用モニターとして使うことは現実的でない。
【００１１】
また、リア投射型のプロジェクタでは、奥行を薄くするために内部で複数個のミラー反射を行なう必要があるために、スクリーンより下に位置する本体部分にある程度の高さ（深さ）が必要になる。結果として、ＣＡＤのデスク上にプロジェクタを置くと、スクリーン位置が作業者の目線に対してずっと高い位置となり見難い。或いは、プロジェクタを床置きにしてデスクの前に置いて使用するという方法もあり得るが、高解像度のリアプロジェクタは、高価であることと、いくら奥行が小さくなってきたといっても、リアプロジェクタのボックス構造が占有する空間は大きく、省スペース性に優れているとは言い難いことから、やはり一般のＣＡＤ用モニター装置としては現実性が薄い。
【００１２】
一方、プラズマディスプレイは、４０〜５０インチの大画面でありながら本体の厚みが１０ｃｍ程度と省スペース性に優れたモニター装置であり、一般に使用されている２１インチのＣＲＴモニターに対して同じスペースで置換えが可能である。しかしながら、プラズマディスプレイにも、消費電力が大きい、重量が大きい、価格が高い、パネルの焼付きが起こりやすいという様な問題が存在する欠点がある。
【００１３】
したがって、従来の技術や装置を用いてモニターの大画面化を図ろうとすると、モニター装置自体のサイズが大きくなり、デスクを含めたモニターシステムとして、現在一般的に使用されている２１インチＣＲＴモニターと比べ非常に大きなスペースを必要とすることになる。また、重量も増加してより強固な構造のデスクが必要になる。
【００１４】
プラズマディスプレイにおいては、２１インチＣＲＴモニターと同等のスペースで大画面化を実現することが可能であるが、消費電力、パネル焼付き等に関する課題が残る。また、従来のＣＡＤ用のモニターシステムは、モニター装置に何を使用するかは別として、システム中の全ての器材がＣＡＤ用途に固定され、決められた場所で使用されるものである。
【００１５】
本発明の目的は、重量も軽く、デスク上の空間を圧迫することも無しに一般的にＣＡＤで使用されている２１インチモニターと変わらないスペースで４０〜５０インチという大画面表示を可能にすると共に、大画面でありながら適度な視距離と目線位置を維持し、ＣＡＤの設計作業を行なわない時には、デスク、モニター装置、室内空間を各々有効に活用できる従来にないＣＡＤ用モニターシステムを提供することにある。
【００１６】
【課題を解決するための手段】
本発明の大画面表示機能付きデスクは、フロント投射型プロジェクタを内部に有し、天面に位置する透明ガラス越しに前方のスクリーン面へ画像を投射表示する構成と構造にしたことを特徴とする。
また、フロント投射型プロジェクタをデスクの下側に配置し、プロジェクタの光路のデスク天板の奥行寸法の一部を短くしたことを特徴とする。
また、画面サイズを可変したときに画面位置が上下方向へ移動可能な構成にしたことを特徴とする。
また、フロント投射型プロジェクタをデスクの下側に配置し、プロジェクタの光路を確保するためにデスク天板の先端をテーパ状にしたことを特徴とする。
また、部屋の壁面を画像表示面として使用する構成にしたことを特徴とする。
また、使用しない時には、全ての装置をデスク内部に収納できる構造と構成にしたことを特徴とする。
また、フロント投射型プロジェクタをデスクの下側に配置し、プロジェクタの設置部分が９０度回転することにより、収納時にプロジェクタ全体がデスクの内側に納まる構造にしたことを特徴とする。
また、プロジェクタを内蔵した表示機能を有するデスクにおいて、画面サイズを可変できる構成にしたことを特徴とする。
また、非球面ミラーを搭載したフロント投射型のプロジェクタを内部に有する構成と構造にしたことを特徴とする。
【００１７】
【発明の実施の形態】
次に、本発明について図面を参照して説明する。図１は本発明の第１の実施形態の大画面表示機能を有するデスクの構成を示すものである。図１において（Ａ）は天面から、（Ｂ）は側面から、（Ｃ）は正面から見た状態を示す。図において、図１（Ａ）は、デスク上に、通常ディスプレイ装置と共に使用されるデスクトップ型パソコン（以下ＰＣと記す）であるＰＣ５とキーボード６が置かれた状態を示しているが、図１（Ｂ）、図１（Ｃ）では、ＰＣ５とキーボード６は省略している。図において符号１で示されたものがプロジェクタであり、デスクの中に設置されている。プロジェクタ１は、ＰＣ５とケーブル接続され、ＰＣ５からの画像信号が入力される。
【００１８】
プロジェクタ１には非球面ミラー１０が搭載され、ＰＣ５から入力された画像信号は最終的にこの非球面ミラー１０を経てスクリーン面３に投射される。スクリーン面３は、オフィスで使用されているパーテーションの壁面をそのまま利用することができるが、その表面に大きな凹凸があったり、色調等の関係で画像表示に支障がある場合には、適当なシートを画像表示面に貼りつけることで問題の無い画像を得ることができる。但し、パーテーション等スクリーンとして使えるものが無い場所では、専用のスクリーンを用意する必要がある。
【００１９】
スクリーンに関しては、平面性を確保できるもので表面での反射が少なく拡散性の高いものであれば十分に使用することができるので、軽量で安価なものが可能であり（例えば、画用紙を板に貼った様なものでも良い）、デスク上に置いたり机の前に取り付けたりできる簡易的なスクリーンを作成することが容易にできる。
【００２０】
ここで、本発明に使用されるプロジェクタの特徴について説明する。プロジェクタ１は、光学系に非球面ミラーを使用することによって、極めて短い投射距離で画像を写し出すことを実現しているプロジェクタであり、ディスプレイとして使用するのに十分な解像度と輝度を有するものである。その投射特性は、一例として、図４の様なものである。図４は、プロジェクタ１の投射特性として、投射される画面のプロジェクタ１の背面を起点とした投射距離と、プロジェクタ１の底面を起点とした垂直方向の画面位置とを示すものである。
【００２１】
図中のａ〜ｄで示されたものは、４０，５０，８０，１００インチの画面サイズに対応するもので、各サイズの投射距離と画面位置を表す。本特性例では、投射距離１ｃｍの変化に対して画面サイズが約１インチ変化する。また、画面位置は画面サイズが大きくなるに連れて上方へシフトする。
【００２２】
本投射特性は非球面ミラーを用いた超短焦点プロジェクタの設計の一例を示すもので、投射距離を更に短くしたり、投射角度を変えることは、非球面ミラーを用いた光学系の設計仕様を変えることにより実現可能である。また、プロジェクタ自体のサイズ・重量は、非球面ミラー１０を除いた本体部分の大きさが一般のフロント投射型プロジェクタの大きさに近いものが実現可能であり、重量も５Ｋｇ程度以下のものが実現可能である。従って、他の大型画面を表示するディスプレイ装置に比べて非常に小さく軽いものである。
【００２３】
本発明は、この様な投射特性を有する非球面ミラーを搭載したフロント投射型プロジェクタを用いることを特徴とするもので、プロジェクタの特性を実現するための詳細な技術的手法については言及しない。また、本説明は非球面ミラーを搭載することにより、所望の投射特性を得ることを示しているが、必ずしも非球面ミラーを搭載することを条件とするものではない。
【００２４】
ここで、図１に戻って説明を続ける。図１は、デスクをスクリーン面となるパーテーションに密着させた状態で４０インチ程度の画面サイズが得られる仕様を想定したものである。このときのデスクの大きさは、一般のオフィス用デスクと同等（７０ｃｍ程度）の奥行と巾が実現可能である。デスクをスクリーン面３に密着させた状態での画面位置は、画像が切れることなくデスク天面よりわずか上方に位置する。表示画面４のサイズは、図６に示すのプロジェクタ１の投射特性に応じてデスク２とスクリーン面３の間隔をとる程大きくすることができる。例えば、デスク２がスクリーン面であるパーテーションに密着した状態で４０インチの画面サイズが得られるので、デスクとパーテーションの間隔を１０ｃｍとるだけで４０インチから５０インチに画面サイズを拡大することができる。
【００２５】
パーテーションをスクリーン面とした場合、デスク２の足にキャスター８を設けておくことによって、デスク位置を調整して画面サイズを変えることが容易にできる。この様に画面サイズを可変できるという機能は、他のディスプレイ装置には無いものであり、本発明の特徴の一つである。
【００２６】
デスクとスクリーン面との位置変化による表示画面のサイズと位置の変化は、図５（Ａ），（Ｂ）に示される様である。
【００２７】
次にデスクの構造に関して説明する。本発明ではプロジェクタをデスクの内部に設置することを特徴としており、デスクはプロジェクタをデスク内部に設置する適当な構造を有するものとする。また、近距離で効果的に大画面を実現するためには、プロジェクタの位置を極力作業者９の側に置く必要があり、そのためには、作業者９の足とプロジェクタ１の干渉、プロジェクタの光路７とデスク２との干渉を最小限にすることが必要である。そこで、本発明では、これらの干渉を防ぐために、プロジェクタの配置とデスク天板の構造を工夫している。デスクの内側においては、作業者９の足のひざ下の部分がプロジェクタの下側の空間に入り込める様に、プロジェクタの設置位置とデスクの構造を考慮している。また、デスクの天板は、図２に示すように、プロジェクタの光路に当る部分に透光性のある台形状の透明ガラス２ｂを配し、この透明ガラス２ｂ越しに画像全体を投射する構成にした、また図３はその使用例である。
【００２８】
また、本発明では、フロント投射型のプロジェクタをディスプレイ装置として用いているので、画面位置は他のモニター装置の場合より遠い位置にすることができ、大画面でかつ一般のデスクと同じスペースでありながら適度な視距離を実現している。
【００２９】
図１３は、前述している通り、従来の２１インチＣＲＴディスプレイを用いたデスク環境と画面サイズを示した図であるが、その中で図１３（Ｃ）においては、本発明により得られる表示画面との画面サイズの違いを示している。図１３（Ｃ）の中で破線で示されている部分は、４０インチのディスプレイ画面に相当するもので、本発明により実現される画面サイズを表している。この図から、画面サイズの拡大効果を視覚的に理解することできる。
【００３０】
次に第２の実施形態を図面を用いて説明する。図６は本発明によるＣＡＤ設計環境の作業状態を示すものである。図６において（Ａ）は側面から、（Ｂ）は作業者の背面から、（Ｃ）は天面から見た状態を示す。図において、ＣＡＤデスク２の下にはＣＡＤ設計に使用するデスクトップ型パーソナルコンピュータであるＰＣ５が収納されている。デスク２上には、ＰＣ５への入力装置であるキーボード６とマウス１１が置かれる。デスク２のスクリーン側下部には、フロント投射型プロジェクター１が設置され、ＰＣ５とケーブル接続される。作業者９はＰＣ５に予めインストールされたＣＡＤ設計用ソフトウェアを用いてスクリーン面３ａに投射された表示画面４ａを見ながらＣＡＤによる設計作業を進める。ここでスクリーン面３ａは、ＣＡＤ室の壁面、パーテーション面、等であるが、その表面の状態が良ければそのままスクリーンとして使用することも可能である。表面の状態に問題がある場合は、適当なスクリーンシートを貼りつけて使用することができる。或いは、単独のスクリーンボードを用いても良い。本図で表示画面４ａは４０インチ相当の画面サイズを示し、表示画面４ｂは５０インチ相当の画面サイズを示すものである。
【００３１】
ここでプロジェクタ１には非球面ミラー１０が搭載され、プロジェクタ１による出力画像は非球面ミラー１０を経てスクリーン面３ａに投射される。プロジェクタ１は、非球面ミラー１０により極めて短い投射距離で画像を写し出すことを実現しているプロジェクタであり、ＣＡＤのモニターとして使用するのに十分な解像度と輝度を有するものである。その投射特性は、前述の図４で説明したとおりである。また、本説明は非球面ミラーを搭載することにより、所望の投射特性を得ることを示しているが、必ずしも非球面ミラーを搭載することを条件とするものではない。
【００３２】
再度、図６に戻って説明する。本発明のＣＡＤモニターでは、主に４０〜５０インチ程度を想定している。図中、４ａは４０インチの表示画面を示し、４ｂは５０インチの表示画面を示す。図において、表示画面４ａ，４ｂは共にデスク２の天板より下方に画面の下端が位置している。このことにより図（Ａ）で解る様に作業者９は極めて自然な眼線で表示画像を見ることができる。また、デスク２の天板の奥行寸法は、ＰＣの入力装置であるキーボード６とマウス１１を操作するために必要なスペースだけを確保した寸法にすることにより、プロジェクタの光路７との干渉を防ぎ、画面位置を近づけることを可能にしている。また、デスク２の天板のスクリーン側の先端面を、図７に示す様にテーパ状の構造とすることにより、更にプロジェクタの光路７との干渉を防ぎ、近距離での大画面化を可能にしている。
【００３３】
また、本実施形態では、フロント投射型のプロジェクタをモニター装置として用いているので、画面位置は他のモニター装置の場合より遠い位置にすることができ、大画面ながら適度な視距離を実現している。その他、フロント投射型のプロジェクタを使用していることにより、画面サイズは作業者の要求に応じてスクリーン面との距離を変えることによって可変できる。一例として、デスク２の足にキャスターを設ければ容易に画面サイズの変更が可能である。或いは、プロジェクタ１の位置を可変できる構造と機構をデスク２に持たせればデスク２の位置は固定のまま画面サイズを可変させることが可能である。
【００３４】
図８は、本発明によるモニターシステムの収納状態を示した図である。作業時に使用していたプロジェクタ１、キーボード６，マウス１１等は全てテーブル２の内部へ収納される。ここでプロジェクタ１の非球面ミラー１０の部分は、未使用時には閉じることができ、非球面ミラー１０が閉じた後に、プロジェクタ１は９０度回転してデスク２の内部へ収納される。収納された状態においては、全てデスク２の天板のサイズ内に納まり突起は発生しない。
【００３５】
収納するための機構、構造等に関しては、周知の色々なの方法があるので、ここでは説明を省略する。また、作業時に使用していたキーボード，マウス等の入力装置もデスク内部に収納される。収納方法に関しても周知の色々な方法があるのでここでは説明を省略する。
【００３６】
この様に設計作業を行なわない期間には、デスク２の内部に全ての装置をデスクからはみ出すことなく収容することができ、重量も非常に軽いので、デスクの足にキャスター８を設けておけば容易に移動させることができると同時に、一般の机（テーブル）として使うことが可能である。
【００３７】
図９は、ＣＲＴモニターと本発明によるモニターシステムをＣＡＤ室の環境において比較したものである。図９の（Ａ），（Ｂ）の比較から、従来のＣＲＴモニターと同じスペースで５０インチ大型画面のＣＡＤ環境が構築出きることが理解できる。また、本発明によるＣＡＤモニターシステムでは、デスクサイズが小さくなり、デスク上にＣＲＴモニターの様に大きく圧迫感のあるものが存在しないので、ＣＲＴモニターと同じ占有スペースで大画面化を実現しながらも、より広い空間が得られ精神的な面での環境改善効果も得られる。
【００３８】
図１０は、本発明によるスペースの有効活用例を示すものである。一般にＣＡＤ室は常時１００％稼動していることは少なく、空いている装置が存在することが多い。図１０（Ａ）はＣＡＤ室の半分が稼動していない状態に関するもので、稼動していないＣＡＤシステムをテーブル内に収納し、テーブルを壁際に寄せた状態を示している。こうすることで、空いているＣＡＤテーブルを一般のテーブルとして他の用途に活用したり、ＣＡＤ室の広がったスペースの活用を図ることが可能になる。
【００３９】
図１０（Ｂ）は、空いた状態のＣＡＤテーブルを会議机として使用し、ＣＡＤ室を臨時の会議室として活用する例を示すものである。この様に、本発明によるＣＡＤモニターシステムでは、未使用時に全ての装置をデスク内に収容し、ＣＡＤテーブルを一般テーブルとして使用できる構造にしているので、テーブル、及び、ＣＡＤ室のスペースを年間を通じて無駄なく有効活用を図ることが可能になる。
【００４０】
図１１は本発明によるＣＡＤモニターシステムの表示機能を示す図であり、画面表示サイズと画面位置の関係を示している。図１１において表示画面４ａ，４ｂは、各々４０インチ，５０インチの画面サイズを示し、これらは主にＣＡＤのモニター使用を前提としているので前述の様に画面位置は意図的に低い位置にあり、図１１（Ｂ）の様に正面後方から見ると表示画面４ａ，４ｂの一部（下側）はデスク２に隠れて見えない（デスクに座れば見える）。
【００４１】
一方、図１１（Ｂ）はＣＡＤ用途から外れた表示画面４ｃ，４ｄの様な８０インチ，１００インチといった大画面になると画面位置はデスク２より高く位置するので後方からでも見ることができることを示している。
【００４２】
即ち、本発明によるＣＡＤモニターシステムは、ＣＡＤ用途の他に、そのままの状態で、従来のフロントプロジェクタ同様のプレゼン機能を有している。図１２は、プロジェクタとしての活用例を示すものである。図１２（Ａ）では、会議机と組合せて、会議室で活用する例を示す。図１２（Ｂ）は、セミナー，研修等での活用例を示すものである。図１２（Ａ），（Ｂ）共に、ＣＡＤの未使用期間の有効活用だけではなく、本発明に使用しているプロジェクタの投射距離が非常に短いので、各々の部屋におけるスペースの有効活用をも可能にしている。
【００４３】
図１２の活用例は、ＣＡＤモニターシステム一式をテーブルごと移動させて活用する例を示しているが、更にプロジェクタ単体を用意に着脱可能な構造にしておくことによって、プロジェクタとテーブル（及び、ＰＣ）を各々独立させて有効活用を図ることが可能になる。
【００４４】
【発明の効果】
以上説明したように、本発明のデスクでは極めて投射距離が短く、投射角度が高いフロント投射型プロジェクタを、デスク内の最適な位置に配置し、天面に透明ガラスを配しプロジェクタの光路を遮ることなく効率良く大画面を投射することができる構造とし、プロジェクタからの画像を天面の透明ガラスを通してデスク前方のスクリーン面の最適な位置に投射する構成と構造にしているので、または収納機能を持ち、プロジェクタの光路を遮ることなく効率良く大画面を投射することができる構造を持つデスクの最適な位置に装着し、従来の一般のオフィスデスクと同様のスペースで４０インチという大画面表示が実現できると共に、大画面でありながら適度な視距離が得られ、かつ従来以上のデスク上の空間を実現している。
【００４５】
また、パーテーションの壁面をスクリーンとして使用することが可能であり、画面サイズを可変することができる等、従来に無いオフィスのディスプレイ環境を実現できる。
【００４６】
また、作業効率の向上、情報処理／確認の効率化、等、大画面によって得られる様々な効果が期待でき、かつ、液晶モニターと併用することによって、必要な情報を常時大画面に効率良く表示させながら業務の効率化を図ることができる等、本発明を用いた効果は大きい。
【００４７】
更に、適度な視距離と目線位置を維持維持することができるため身体的には眼が疲れにくく、また、デスク上は圧迫感のある大きなものが存在せず広々とした空間を有する従来に無い快適なＣＡＤ設計環境が実現できる。
【００４８】
また、ＣＡＤを使用しない期間には、本ＣＡＤシステムを構成するプロジェクタ、ＰＣ、テーブルの各部材の有効活用に加えて、ＣＡＤ室のスペースの有効活用を年間を通じて図ることができる。
【００４９】
その他にも大画面で表示できることによって、ＣＡＤのモニター画面を多人数で同時に確認することができる等、数々の利点が得られる。更に、システム全体のサイズ、重量を非常に軽くできるので、システムごと移動させることが容易であり、場所にとらわれず、かつ多目的に使用することができる。
【００５０】
ＣＡＤのモニターとして説明しているが、ＣＡＤ以外にも、監視モニター、指令モニターといった大画面が必要とされるモニター環境を小さなスペースで容易に実現できるので、本発明による効果は大きい。公共の場や各種店舗、ショウルーム、イベント等を初めとした場において、広告、掲示、ショウアップ、等々の様々な用途への展開が考えられ、その利用価値は大きい。
【図面の簡単な説明】
【図１】発明の実施形態（作業状態を示す図）（Ａ）横から見た図　（Ｂ）正面から見た図　（Ｃ）天面から見た図
【図２】デスク天板の構造的特徴
【図３】発明の実施形態例
【図４】プロジェクタの投射特性
【図５】発明の実施形態（Ａ）横から見た投射状態　（Ｂ）正面から見た投射状態
【図６】第２の実施形態（作業状態を示す図）（Ａ）横から見た図　（Ｂ）正面から見た図　（Ｃ）天面から見た図
【図７】デスク天板の構造的特徴
【図８】発明の実施形態（収納状態を示す図）（Ａ）机として使用する場合の状態を示す図　（Ｂ）単独の状態を示す図
【図９】従来（ＣＲＴモニター）の実施形態比較図（ＣＡＤ室の場合）（Ａ）本発明による形態　（Ｂ）従来の形態
【図１０】発明の実施形態（スペースの活用例）
【図１１】発明の実施形態（システムの活用例）（Ａ）横から見た投射状態　（Ｂ）正面から見た投射状態
【図１２】発明の実施形態（システムの活用例）（Ａ）会議室の使用例　（Ｂ）セミナー・研修室等での使用例
【図１３】従来（ＣＲＴモニター）の実施形態（Ａ）天面から見た　（Ｂ）状態横から見た状態　（Ｃ）正面から見た状態
【符号の説明】
１　　プロジェクタ
２　　デスク
２ｂ　　透明ガラス
２ｃ　　従来のデスク
３，３ｂ　　スクリーン面
４，４ａ，４ｂ　　表示画面
５　　ＰＣ
６　　キーボード
７　　プロジェクタの光路
８　　キャスター
９　　作業者
１０　　非球面ミラー
１２　　液晶モニター
１５　　イス
２０　　従来のデスク
２１　　従来モニターの画面サイズ
２２　　ＣＲＴモニター
３１　　本発明によるＣＡＤモニターシステム
３２　　従来のＣＡＤモニターシステム
４１　　一般のテーブル
４２　　一般のイス
【図１】
2004113655.tif 000003
【図２】
2004113655.tif 000004
【図３】
2004113655.tif 000005
【図４】
2004113655.tif 000006
【図５】
2004113655.tif 000007
【図６】
2004113655.tif 000008
【図７】
2004113655.tif 000009
【図８】
2004113655.tif 000010
【図９】
2004113655.tif 000011
【図１０】
2004113655.tif 000012
【図１１】
2004113655.tif 000013
【図１２】
2004113655.tif 000014
【図１３】
2004113655.tif 000015